(57)【要約】【課題】通行人の通行可否判定を行う異なる複数のシステムが併存しても、それらのシステムの各々が正しく通行可否判定を行うことを可能とする手段を提供する。【解決手段】通行可否判定装置１１Ａは記録媒体１２Ａから読み取った通行記録データに基づき、記録媒体１２Ａを携帯する通行人の通行の可否判定を行う。入場を行おうとする通行人の記録媒体１２Ａから読み取った通行記録データが入場状態を示す場合、または出場を行おうとする通行人の記録媒体１２Ａから読み取った通行記録データが出場状態を示す場合、通行可否判定装置１１Ａはサーバ装置１３Ａ経由でサーバ装置１３Ｂから当該通行人が携帯する記録媒体１２Ｂに記憶されている最新の通行記録データと同じ通行記録データを受信し、通行の可否判定に用いる。【選択図】図１
2017157123.tif 000002
【特許請求の範囲】
【請求項１】
通行人が携帯する複数の記録媒体の識別情報を対応付けて記憶し、前記複数の記録媒体のうちの一の記録媒体から読み出された情報に基づく通行の可否判定の結果を示す情報を用いて、前記複数の記録媒体のうちの前記一の記録媒体とは異なる他の記録媒体から読み出された情報に基づく通行の可否判定を行う
通行可否判定システム。
【請求項２】
前記一の記録媒体からの情報の読み出しが可能で前記他の記録媒体からの情報の読み出しが不可能な読出手段と、
前記一の記録媒体からの情報の読み出しが不可能で前記他の記録媒体からの情報の読み出しが可能な読出手段と
を備える請求項１に記載の通行可否判定システム。
【請求項３】
前記他の記録媒体から読み出された情報に基づく通行の可否判定の結果を示す情報を、前記一の記録媒体と前記他の記録媒体の各々に対応付けて記憶する
請求項１または２に記載の通行可否判定システム。
【請求項４】
前記一の記録媒体から読み出された情報に基づく通行の可否判定の結果を示す情報を、前記一の記録媒体と前記他の記録媒体の各々に対応付けて記憶する
請求項１乃至３のいずれか１項に記載の通行可否判定システム。
【請求項５】
前記他の記録媒体から読み出された情報に基づく通行の可否判定の結果を示す情報を前記一の記録媒体に書き込む
請求項１乃至４のいずれか１項に記載の通行可否判定システム。
【請求項６】
前記一の記録媒体から読み出された情報に基づく通行の可否判定の結果を示す情報を前記他の記録媒体に書き込む
請求項１乃至５のいずれか１項に記載の通行可否判定システム。
【発明の詳細な説明】
【技術分野】
【０００１】
本発明は、通行人の通行の可否を判定する技術に関する。
【背景技術】
【０００２】
駅や会議場、オフィスビル等のように、切符や入場券、ＩＤカード等の許可証を所持する人のみが入退出を許可される空間がある。これらの空間の出入口には、正当な許可証を所持していない人の通行を制限するゲート装置が配置されていることが多い。
【０００３】
ゲート装置により通行の制限が行われる場合、通常、通行人はゲート装置の手前で立ち止まり、切符等の許可証をゲート装置に読み取らせる動作を行う必要がある。また、入場または出場を希望する通行人が同時期に集中すると、ゲート装置の上流側に待ち行列が生じる。
【０００４】
上記のようなゲート装置の不都合を軽減または解消するための技術が提案されている。例えば、特許文献１においては、駅コンコースの特定エリアの床に敷設される床ユニットにおいて利用者の通行を検知すると、前記床ユニットと改札情報記録媒体との間の通信を行い、前記改札情報記録媒体の有効性を確認し、前記利用者による前記改札情報記録媒体の不携帯、または前記改札情報記録媒体の有効・無効であることを前記床ユニットの表示部によって表示するフリーゲート改札システムが提案されている。
【０００５】
特許文献１に記載のフリーゲート改札システムによれば、駅のコンコースへの出入口を通過する際、ゲート装置に対し改札情報記録媒体を読み取らせるための動作を行う必要はない。また、ゲート装置の上流に待ち行列が生じることもない。
【先行技術文献】
【特許文献】
【０００６】
【特許文献１】特開２０１３−１５２６６５号公報
【発明の概要】
【発明が解決しようとする課題】
【０００７】
例えば、ゲート改札システムが普及している状況下で、新たにフリーゲート改札システムが導入されるような場合、全てのゲート改札システムをフリーゲート改札システムに一斉に置き換えることは設置の期間、コスト等の観点から現実的ではない。従って、ゲート改札システムとフリーゲート改札システムが併存することになる。
【０００８】
上記のような状況下において、例えば通行人がゲート改札システムの導入されている改札口から入場し、フリーゲート改札システムが導入されている改札口から出場するような場合、この通行人のフリーゲート改札システムにおける入場記録がないため、不正な出場と判定されてしまう。
【０００９】
上記のような問題は、ゲート改札システムとフリーゲート改札システムが併存する場合に限られず、通行人の通行可否判定を行う異なる複数のシステムが併存する場合に常に生じる。
【００１０】
上記の背景に鑑み、本発明は、通行人の通行可否判定を行う異なる複数のシステムが併存しても、それらのシステムの各々が正しく通行可否判定を行うことを可能とする手段を提供する。
【課題を解決するための手段】
【００１１】
上述した課題を解決するために、本発明は、通行人が携帯する複数の記録媒体の識別情報を対応付けて記憶し、前記複数の記録媒体のうちの一の記録媒体から読み出された情報に基づく通行の可否判定の結果を示す情報を用いて、前記複数の記録媒体のうちの前記一の記録媒体とは異なる他の記録媒体から読み出された情報に基づく通行の可否判定を行う通行可否判定システムを第１の態様として提供する。
【００１２】
第１の態様の通行可否判定システムによれば、通行人の通行可否判定を行う異なる複数のシステムの各々において行われた通行の可否判定の結果を示す情報が相互に利用されるため、それらのシステムの各々が正しく通行可否判定を行うことができる。
【００１３】
第１の態様の通行可否判定システムにおいて、前記一の記録媒体からの情報の読み出しが可能で前記他の記録媒体からの情報の読み出しが不可能な読出手段と、前記一の記録媒体からの情報の読み出しが不可能で前記他の記録媒体からの情報の読み出しが可能な読出手段とを備える、という構成が第２の態様として採用されてもよい。
【００１４】
第２の態様の通行可否判定システムによれば、一方のシステムにおいて通行券として用いられる記録媒体が他方のシステムにおいて使用できない場合であっても、それらのシステムの各々が正しく通行可否判定を行うことができる。
【００１５】
第１または第２の態様の通行可否判定システムにおいて、前記他の記録媒体から読み出された情報に基づく通行の可否判定の結果を示す情報を、前記一の記録媒体と前記他の記録媒体の各々に対応付けて記憶する、という構成が第３の態様として採用されてもよい。
【００１６】
第１乃至第３のいずれかの態様の通行可否判定システムにおいて、前記一の記録媒体から読み出された情報に基づく通行の可否判定の結果を示す情報を、前記一の記録媒体と前記他の記録媒体の各々に対応付けて記憶する、という構成が第４の態様として採用されてもよい。
【００１７】
第３または第４の態様の通行可否判定システムによれば、一方のシステムにおける通行の可否判定の結果が、他方のシステムにおいて通行券として用いられる記録媒体に対応付けて記憶されるため、他方のシステムにおける通行の可否判定が速やかに行われる。
【００１８】
第１乃至第４のいずれかの態様の通行可否判定システムにおいて、前記他の記録媒体から読み出された情報に基づく通行の可否判定の結果を示す情報を前記一の記録媒体に書き込む、という構成が第５の態様として採用されてもよい。
【００１９】
第１乃至第５のいずれかの態様の通行可否判定システムにおいて、前記一の記録媒体から読み出された情報に基づく通行の可否判定の結果を示す情報を前記他の記録媒体に書き込む、という構成が第６の態様として採用されてもよい。
【００２０】
第５または第６の態様の通行可否判定システムによれば、一方のシステムにおける通行の可否判定の結果が、他方のシステムにおいて通行券として用いられる記録媒体に記憶されるため、他方のシステムにおける通行の可否判定が速やかに行われる。
【図面の簡単な説明】
【００２１】
【図１】一実施形態にかかる通行可否判定システムの全体構成を示した図。
【図２】一実施形態にかかる無線通信装置のハードウェア構成を示した図。
【図３】一実施形態にかかる無線通信装置に記憶されているデータを示した図。
【図４】一実施形態にかかる無線通信装置の機能構成を示した図。
【図５】一実施形態にかかる制御装置のハードウェア構成を示した図。
【図６】一実施形態にかかる制御装置の機能構成を示した図。
【図７】一実施形態にかかるサーバ装置のハードウェア構成を示した図。
【図８】一実施形態にかかるサーバ装置の機能構成を示した図。
【図９】一実施形態にかかるサーバ装置に記憶されている通行記録データベースのデータ構成を示した図。
【図１０】一実施形態にかかるサーバ装置に記憶されている対応関係テーブルのデータ構成を示した図。
【図１１】一実施形態にかかる通行可否判定システムが入場しようとする通行人の通行の可否判定を行う際の処理フローを示した図。
【図１２】一実施形態にかかる通行可否判定システムが出場しようとする通行人の通行の可否判定を行う際の処理フローを示した図。
【発明を実施するための形態】
【００２２】
［実施形態］
以下に本発明の一実施形態にかかる通行可否判定システム１を説明する。図１は通行可否判定システム１の全体構成を示した図である。通行可否判定システム１は、通行可否判定装置１１Ａと、通行可否判定装置１１Ａの配置されたエリアを通行する際に通行券の役割を果たす記録媒体１２Ａと、通行可否判定装置１１Ａが行う通行の可否判定の結果を示すデータ（以下、「通行記録データ」という）を通行可否判定装置１１Ａから受信し蓄積するサーバ装置１３Ａを備える。本実施形態において、記録媒体１２Ａは通信距離が数メートル程度の近距離無線通信により通行可否判定装置１１Ａと通信可能な無線通信装置である。
【００２３】
また、通行可否判定システム１は、通行可否判定装置１１Ｂと、通行可否判定装置１１Ｂの配置されたエリアを通行する際に通行券の役割を果たす記録媒体１２Ｂと、通行可否判定装置１１Ｂが行う通行の可否判定の結果を示す通行記録データを通行可否判定装置１１Ｂから受信し蓄積するサーバ装置１３Ｂを備える。記録媒体１２Ｂは通信距離が数センチメートル程度の近距離無線通信により通行可否判定装置１１Ｂと通信可能な無線通信装置である。
【００２４】
以下、通行可否判定装置１１Ａと通行可否判定装置１１Ｂを通行可否判定装置１１と総称する。また、記録媒体１２Ａと記録媒体１２Ｂを記録媒体１２と総称する。また、サーバ装置１３Ａとサーバ装置１３Ｂをサーバ装置１３と総称する。
【００２５】
図１には、通行可否判定装置１１Ａと通行可否判定装置１１Ｂが１つずつ示されているが、通行可否判定システム１は多数の通行可否判定装置１１Ａと多数の通行可否判定装置１１Ｂを備えている。それらの通行可否判定装置１１Ａおよび通行可否判定装置１１Ｂは各々、異なるエリアに配置され、配置されたエリアにおいて通行人の通行の可否判定を行い、可否判定の結果に応じた所定の処理を行う。
【００２６】
通行可否判定装置１１Ａはゲートレス式の通行可否判定装置である。通行可否判定装置１１Ａは制御装置１１１Ａとスポットライトアレイ１１２Ａを備える。制御装置１１１Ａは通行人が携帯する記録媒体１２Ａから近距離無線通信により記録媒体１２Ａの識別情報（以下、「媒体ＩＤ」という）と通行記録データを読み出す。制御装置１１１Ａは読み出した通行記録データに基づき通行人の通行の可否判定を行う。
【００２７】
制御装置１１１Ａは通行人の通行の可否判定を行うと、スポットライトアレイ１１２Ａに対し、可否判定の結果に応じた色の光（例えば、通行可の場合は青色、通行不可の場合は赤色）を通行人に照射するように指示する。スポットライトアレイ１１２Ａは制御装置１１１Ａの指示に従い光の照射を行う。その結果、通行人は自分の通行が許可されているか否かを知ることができる。
【００２８】
また、制御装置１１１Ａは通行人の通行が許可されると判定した場合、その判定結果を示す通行記録データを近距離無線通信により記録媒体１２Ａに送信するとともに、例えば有線通信によりサーバ装置１３Ａに送信する。記録媒体１２Ａとサーバ装置１３Ａは各々、制御装置１１１Ａから送信されてくる通行記録データを記憶する。
【００２９】
通行可否判定装置１１Ｂはゲート式の通行可否判定装置である。通行可否判定装置１１Ｂは制御装置１１１Ｂとゲート１１２Ｂを備える。制御装置１１１Ｂは通行人が携帯する記録媒体１２Ｂから近距離無線通信により記録媒体１２Ｂの媒体ＩＤと通行記録データを読み出し、読み出した通行記録データに基づき通行人の通行の可否判定を行う。
【００３０】
制御装置１１１Ｂは通行人の通行の可否判定を行うと、ゲート１１２Ｂに対し、可否判定の結果に応じた開閉動作（例えば、通行可の場合は開状態を維持、通行不可の場合は閉鎖）を指示する。ゲート１１２Ｂは制御装置１１１Ｂの指示に従い開閉動作を行う。その結果、通行人は通行が許可されている場合は開いたゲート１１２Ｂを通過でき、通行が許可されていない場合は閉じたゲート１１２Ｂを通過できない。
【００３１】
また、制御装置１１１Ｂは通行人の通行が許可されると判定した場合、その判定結果を示す通行記録データを近距離無線通信により記録媒体１２Ｂに送信するとともに、例えば有線通信によりサーバ装置１３Ｂに送信する。記録媒体１２Ｂとサーバ装置１３Ｂは各々、制御装置１１１Ｂから送信されてくる通行記録データを記憶する。
【００３２】
以下、制御装置１１１Ａと制御装置１１１Ｂを制御装置１１１と総称する。また、サーバ装置１３Ａと多数の通行可否判定装置１１Ａにより構成される通行可否判定システムをシステムＡと呼び、サーバ装置１３Ｂと多数の通行可否判定装置１１Ｂにより構成される通行可否判定システムをシステムＢと呼ぶ。
【００３３】
上述したように、記録媒体１２Ａは通行可否判定装置１１Ａの配置されたエリアを通行する際の通行券（すなわち、Ａシステムの通行券）の役割を果たす。また、記録媒体１２Ｂは通行可否判定装置１１Ｂが配置されているエリアを通行する際の通行券（すなわち、Ｂシステムの通行券）の役割を果たす。従って、通行可否判定装置１１Ａの配置されているエリアと、通行可否判定装置１１Ｂの配置されているエリアの両方を通行する通行人は、記録媒体１２Ａと記録媒体１２Ｂの両方を携帯する。
【００３４】
なお、図１には記録媒体１２Ａと記録媒体１２Ｂが１つずつ示されているが、記録媒体１２Ａと記録媒体１２Ｂの数はそれらを携帯する通行人の数に応じた数である。
【００３５】
図２は記録媒体１２のハードウェア構成を例示した図である。記録媒体１２はコントローラ１２１、メモリ１２２、通信Ｉ／Ｆ（Interface）１２３を備える。なお、記録媒体１２は電池または発電機構を備えるが、図２においてはそれらの図示は省略されている。
【００３６】
図３はメモリ１２２に記憶されているデータを例示した図である。メモリ１２２は記録媒体１２の媒体ＩＤと、所定数の通行記録データを記憶する。通行記録データは、フィールドとして［入場時刻］、［入場場所］、［出場時刻］、［出場場所］、［金額］、［残高］を有するレコードであり、入場時刻が新しい順に通行記録テーブルに格納されている。
【００３７】
通信Ｉ／Ｆ１２３が制御装置１１１から入場に関する通行記録データを受信すると、メモリ１２２はコントローラ１２１の制御に従い、入場時刻が最も古いレコードを通行記録テーブルから削除し、受信した通行記録データを通行記録テーブルに追加する。また、通信Ｉ／Ｆ１２３が制御装置１１１から出場に関する通行記録データを受信すると、メモリ１２２はコントローラ１２１の制御に従い、通行記録テーブルに格納されているレコードのうち受信した通行記録データの入場時刻を格納しているレコード（最新のレコード）を受信した通行記録データで上書きする。これにより、記録媒体１２に記憶されている通行記録テーブルが更新される。
【００３８】
図４は記録媒体１２の機能構成を例示した図である。記録媒体１２は、機能構成部として、受信手段１２０１、記憶手段１２０２、送信手段１２０３を備える。受信手段１２０１は、制御装置１１１が記録媒体１２からデータの読み出しを行う際に送信してくる要求データを受信する。送信手段１２０３は要求データに応じて、記憶手段１２０２から媒体ＩＤと最新の通行記録データを制御装置１１１に送信する。
【００３９】
また、受信手段１２０１は、制御装置１１１が通行の可否判定を行った際に送信してくる通行記録データを受信する。記憶手段１２０２は受信手段１２０１が新たに受信した通行記録データを用いて通行記録テーブルを更新する。
【００４０】
図５は制御装置１１１のハードウェア構成を例示した図である。制御装置１１１はプロセッサ１１１１、メモリ１１１２、通信Ｉ／Ｆ１１１３、通信Ｉ／Ｆ１１１４を備える。通信Ｉ／Ｆ１１１３は制御装置１１１が記録媒体１２との間で通信を行うインタフェースである。通信Ｉ／Ｆ１１１４は制御装置１１１がサーバ装置１３との間で通信を行うインタフェースである。
【００４１】
図６は制御装置１１１の機能構成を例示した図である。図６に示す機能構成は、例えばメモリ１１１２に記憶されているプログラムに従うプロセッサ１１１１の処理により実現される。制御装置１１１は、機能構成部として、読出手段１１０１、判定手段１１０２、書込手段１１０３、指示手段１１０４、送信手段１１０５、受信手段１１０６を備える。
【００４２】
読出手段１１０１は記録媒体１２から媒体ＩＤおよび最新の通行記録データを読み出す。具体的には、読出手段１１０１は記録媒体１２に対し要求データを送信し、その応答として記録媒体１２から送信されてくる媒体ＩＤおよび通行記録データを受信する。
【００４３】
なお、制御装置１１１Ａが備える手段１１０１は記録媒体１２Ｂからデータを読み出すことができない。同様に、制御装置１１１Ｂが備える読出手段１１０１は記録媒体１２Ａからデータを読み出すことができない。
【００４４】
判定手段１１０２は読出手段１１０１が記録媒体１２から読み出した通行記録データに基づき、記録媒体１２を携帯する通行人の通行の可否判定を行う。判定手段１１０２は可否判定を行うために、例えば様々な入場場所と出場場所との組み合わせの各々に応じた料金を示す料金データを記憶している。そして、判定手段１１０２は、入場においては記録媒体１２から読み出した通行記録データが示す残高が最低金額以上であるか否か、また、出場においては通行記録データが示す残高が、通行記録データが示す入場場所と出場場所の組み合わせに応じた料金以上であるか否か、といった所定の基準に従い、通行の可否判定を行う。
【００４５】
判定手段１１０２は、通行人の通行が許可されると判定した場合、当該通行が入場に伴う通行であれば新たな通行記録データを生成し、当該通行が出場に伴う通行であれば先に読出手段１１０１が記録媒体１２から読み出した通行記録データを更新する。
【００４６】
具体的には、通行人の入場が許可されると判定された場合、判定手段１１０２は新たな通行記録データのレコードを生成し、フィールド［入場時刻］にその時点の時刻を示すデータを格納し、フィールド［入場場所］に通行可否判定装置１１の設置されているエリアを示すデータを格納し、フィールド［残高］に先に読出手段１１０１が記録媒体１２から読み出した通行記録データのフィールド［残高］に格納されているデータを格納する。
【００４７】
また、通行人の出場が許可されると判定された場合、判定手段１１０２は、先に読出手段１１０１が記録媒体１２から読み出した通行記録データのフィールド［出場時刻］にその時点の時刻を示すデータを格納し、フィールド［出場場所］に通行可否判定装置１１の設置されているエリアを示すデータを格納し、フィールド［料金］に当該通行記録データが示す入場場所と出場場所の組み合わせに応じた料金を示すデータを格納し、フィールド［残高］に、それまでそのフィールドに格納されていたデータが示す残高からフィールド［料金］に格納したデータが示す料金を差し引いた金額を示すデータを格納する。
【００４８】
書込手段１１０３は、判定手段１１０２により新たな通行記録データの生成または通行記録データの更新が行われた場合、当該通行記録データを記録媒体１２に書き込む。
【００４９】
なお、制御装置１１１Ａが備える書込手段１１０３は記録媒体１２Ｂにデータを書き込むことができない。同様に、制御装置１１１Ｂが備える書込手段１１０３は記録媒体１２Ａにデータを書き込むことができない。
【００５０】
指示手段１１０４は判定手段１１０２による通行の可否判定の結果に応じた動作をスポットライトアレイ１１２Ａまたはゲート１１２Ｂに対し指示する。
【００５１】
送信手段１１０５は、判定手段１１０２により新たな通行記録データの生成または通行記録データの更新が行われた場合、当該通行記録データをサーバ装置１３に送信する。
【００５２】
上述した判定手段１１０２による通行の可否判定において、記録媒体１２から読み出された通行記録データのみでは情報が不足する場合がある。
【００５３】
例えば、通行人が通行可否判定装置１１Ａの配置されたエリアで入場を行った後、通行可否判定装置１１Ｂの配置されたエリアで出場を行おうとする場合、記録媒体１２Ｂには最後の入場に関するデータが記憶されていない。従って、通行人が今いるエリアの通行可否判定装置１１Ｂは、記録媒体１２Ｂから読み出した通行記録データに基づいて、この通行人の通行の可否判定を正しく行うことができない。
【００５４】
また、通行人が通行可否判定装置１１Ａの配置されたエリアで入場を行った後、通行可否判定装置１１Ｂの配置されたエリアで出場を行い、別の通行可否判定装置１１Ａの配置されたエリアで入場を行おうとする場合、記録媒体１２Ａには最後の出場に関するデータが記憶されていない。従って、通行人が今いるエリアの通行可否判定装置１１Ａは、記録媒体１２Ａから読み出した通行記録データに基づいて、この通行人の通行の可否判定を正しく行うことができない。
【００５５】
上記のような場合、判定手段１１０２は送信手段１１０５を介して、サーバ装置１３に対し他のシステムにおいて記憶されている当該通行人の通行記録データの送信を要求する要求データを送信する。当該要求データには記録媒体１２から読み出された媒体ＩＤが含まれている。
【００５６】
受信手段１１０６は、送信手段１１０５により送信された要求データに対する応答としてサーバ装置１３から送信されてくる応答データを受信する。応答データには、要求データに含まれる媒体ＩＤと同じ媒体ＩＤと、他のシステムにおいて記憶されている最新の通行記録データが含まれている。
【００５７】
判定手段１１０２は、サーバ装置１３に対する要求データの送信を行った場合、その応答としてサーバ装置１３から送信されてきた応答データに含まれる他のシステムの通行記録データと、記録媒体１２から読み出した通行記録データとに基づき、通行の可否判定を行う。判定手段１１０２による通行の可否判定に伴う通行可否判定システム１の処理の詳細は後述する。
【００５８】
図７はサーバ装置１３のハードウェア構成を例示した図である。サーバ装置１３はプロセッサ１３１、メモリ１３２、通信Ｉ／Ｆ１３３を備える。通信Ｉ／Ｆ１３３は制御装置１１１との間で通信を行うとともに、他のシステムのサーバ装置１３との間で通信を行うインタフェースである。
【００５９】
図８はサーバ装置１３の機能構成を例示した図である。図８に示す機能構成は、例えばメモリ１３２に記憶されているプログラムに従うプロセッサ１３１の処理により実現される。サーバ装置１３は、機能構成部として、受信手段１３１１、記憶手段１３１２、送信手段１３１３、受信手段１３１４、送信手段１３１５を備える。
【００６０】
受信手段１３１１は制御装置１１１において通行の可否判定が行われ、通行が許可されると判定された場合に制御装置１１１から送信されてくる通行記録データを受信する。当該通行記録データには媒体ＩＤが伴っている。
【００６１】
記憶手段１３１２は、受信手段１３１１により受信される通行記録データを記憶する。また、記憶手段１３１２は、同じ通行人が携帯する記録媒体１２Ａと記録媒体１２Ｂの媒体ＩＤの対応関係を示す対応関係データを記憶する。
【００６２】
図９は記憶手段１３１２に記憶されている通行記録データベースのデータ構成を例示した図である。通行記録データベースは媒体ＩＤの各々に応じた通行記録テーブルの集まりである。通行記録データベースに含まれる通行記録テーブルは、対応する媒体ＩＤにより識別される記録媒体１２に記憶されている通信記録テーブル（図３）と同じものである。
【００６３】
図１０は記憶手段１３１２に記憶されている対応関係テーブルのデータ構成を例示した図である。対応関係テーブルは通行人の各々に応じたレコードの集まりであり、フィールドとして［システムＡ］、［システムＢ］を有する。フィールド［システムＡ］には通行人が携帯する記録媒体１２Ａの媒体ＩＤが格納されている。フィールド［システムＢ］には通行人が携帯する記録媒体１２Ｂの媒体ＩＤが格納されている。
【００６４】
例えば、通行人は通行可否判定システム１を利用するに先立って、通行可否判定システム１の管理者に自分が携帯する記録媒体１２Ａおよび記録媒体１２Ｂの媒体ＩＤを通知する。対応関係テーブルのレコードは、そのように通知された媒体ＩＤを互いに対応付けて格納している。
【００６５】
図８に戻り、サーバ装置１３の機能構成の説明を続ける。受信手段１３１１は、上述した通行記録データの受信に加え、制御装置１１１が通行の可否判定において情報が不足すると判定した場合に送信してくる要求データを受信する。当該要求データには制御装置１１１が記録媒体１２から読み出した媒体ＩＤが含まれている。
【００６６】
送信手段１３１３は、受信手段１３１１が制御装置１１１から受信した要求データを他のシステムのサーバ装置１３に送信する。すなわち、システムＡのサーバ装置１３Ａの送信手段１３１３は、制御装置１１１Ａから受信した要求データをシステムＢのサーバ装置１３Ｂに送信する。同様に、システムＢのサーバ装置１３Ｂの送信手段１３１３は、制御装置１１１Ｂから受信した要求データをシステムＡのサーバ装置１３Ａに送信する。
【００６７】
受信手段１３１４は送信手段１３１３から送信された要求データに対する応答として他のシステムのサーバ装置１３から送信されてくる応答データを受信する。当該応答データには、要求データに含まれる媒体ＩＤと、当該媒体ＩＤに応じた通行人の他のシステムにおける最新の通行記録データが含まれている。
【００６８】
送信手段１３１５は受信手段１３１４が他のシステムのサーバ装置１３から受信した応答データを、受信手段１３１１が制御装置１１１から受信した要求データに対する応答として制御装置１１１に送信する。
【００６９】
受信手段１３１４は、他のシステムのサーバ装置１３から要求データが送信されてきた場合、当該要求データを受信する。当該要求データには、他のシステムの記録媒体１２の媒体ＩＤが含まれている。受信手段１３１４が他のシステムのサーバ装置１３から要求データを受信した場合に送信手段１３１３が行う処理を、送信手段１３１３がシステムＡのサーバ装置１３Ａの送信手段１３１３である場合を例に説明する。
【００７０】
受信手段１３１４がシステムＢのサーバ装置１３Ｂから要求データを受信した場合、送信手段１３１３は当該要求データに含まれる媒体ＩＤをフィールド［システムＢ］に格納するレコードを対応関係テーブル（図１０）から検索する。続いて、送信手段１３１３は、検索したレコードのフィールド［システムＡ］に格納されている媒体ＩＤに応じた通行記録テーブルを記憶手段１３１２に記憶されている通行記録データベース（図９）から読み出し、読み出した通行記録テーブルから最新のレコード（通行記録データ）を読み出す。送信手段１３１３は、このように読み出した通行記録データと要求データに含まれていた媒体ＩＤとを含む応答データを生成し、受信手段１３１４が受信した要求データに対する応答としてサーバ装置１３Ｂに送信する。
【００７１】
続いて、判定手段１１０２により通行の可否判定が行われる際に通行可否判定システム１が行う処理を説明する。図１１は、システムＡの通行可否判定装置１１Ａを通過して入場しようとしている通行人の通行の可否判定が行われる場合に通行可否判定システム１が行う処理のフローを例示した図である。なお、システムＢの通行可否判定装置１１Ｂを通過して入場しようとしている通行人の通行の可否判定が行われる場合に通行可否判定システム１が行う処理のフローは、記録媒体１２Ａが記録媒体１２Ｂとなり、制御装置１１１Ａが制御装置１１１Ｂとなり、サーバ装置１３Ａがサーバ装置１３Ｂとなり、サーバ装置１３Ｂがサーバ装置１３Ａとなる点以外は以下に説明する処理と同様である。
【００７２】
制御装置１１１Ａは、記録媒体１２Ａから最新の通行記録データを読み出す（ステップＳ１０１）。続いて、制御装置１１１Ａは記録媒体１２Ａから読み出した通行記録データが出場状態を示すか否かを判定する（ステップＳ１０２）。通行記録データが出場の情報を含む場合、当該通行記録データは通行人が出場状態であることを示す。
【００７３】
ステップＳ１０２の判定において、記録媒体１２Ａから読み出した通行記録データが出場状態を示さないと判定した場合（ステップＳ１０２；Ｎｏ）、制御装置１１１ＡはシステムＢにおける通行人の通行記録データを要求する要求データをサーバ装置１３Ａに送信する（ステップＳ１０３）。サーバ装置１３Ａは制御装置１１１Ａから受信した要求データをサーバ装置１３Ｂに送信する（ステップＳ１０４）。
【００７４】
サーバ装置１３Ｂはサーバ装置１３Ａから受信した要求データに応じて、要求データに含まれる媒体ＩＤに対応するシステムＢの媒体ＩＤを対応関係テーブル（図１０）に基づき特定し、特定した媒体ＩＤに応じた通行記録テーブル（図９）の最新のレコード（通行記録データ）を読み出す（ステップＳ１０５）。サーバ装置１３Ｂは読み出した通行記録データを含む応答データをサーバ装置１３Ａに送信する（ステップＳ１０６）。サーバ装置１３Ａはサーバ装置１３Ｂから受信した応答データを制御装置１１１Ａに送信する（ステップＳ１０７）。
【００７５】
制御装置１１１Ａは、サーバ装置１３Ａから受信した応答データに含まれる通行記録データが出場状態を示すか否かを判定する（ステップＳ１０８）。ステップＳ１０８の判定において、サーバ装置１３Ａから受信した応答データに含まれる通行記録データが出場状態を示さないと判定した場合（ステップＳ１０８；Ｎｏ）、制御装置１１１Ａは通行不可時の処理を行う（ステップＳ１０９）。
【００７６】
ステップＳ１０８の判定において、サーバ装置１３Ａから受信した応答データに含まれる通行記録データが出場状態を示すと判定した場合（ステップＳ１０８；Ｙｅｓ）、制御装置１１１Ａは当該通行記録データの出場に関する情報（フィールド［出場時刻］およびフィールド［出場場所］のデータ）を記録媒体１２Ａの最新の通行記録データに書き込む（ステップＳ１１０）。
【００７７】
続いて、制御装置１１１Ａはサーバ装置１３Ａから受信した応答データに含まれる通行記録データを、記録媒体１２Ａの媒体ＩＤとともにサーバ装置１３Ａに送信する（ステップＳ１１１）。サーバ装置１３Ａは制御装置１１１Ａから受信した媒体ＩＤに応じた通行記録テーブル（図９）の最新のレコードの出場に関する情報を、ステップＳ１１１において制御装置１１１Ａから受信した通行記録データに含まれる出場に関する情報で更新する（ステップＳ１１２）。なお、ステップＳ１１０〜Ｓ１１２の処理は、システムＢにおいて通行人により行われた出場に関する情報を、システムＡにおける通行記録データに反映させるための処理である。
【００７８】
ステップＳ１０２の判定において、記録媒体１２Ａから読み出した通行記録データが出場状態を示すと判定した場合（ステップＳ１０２；Ｙｅｓ）、もしくはステップＳ１１１の処理を完了した後、制御装置１１１Ａは記録媒体１２Ａから読み出した通行記録データのフィールド［残高］が示す金額等に基づき、通行の可否判定を行う（ステップＳ１１３）。
【００７９】
ステップＳ１１３の判定において通行を許可できないと判定した場合（ステップＳ１１３；Ｎｏ）、制御装置１１１Ａは通行不可時の処理を行う（ステップＳ１０９）。ステップＳ１１３の判定において通行を許可できると判定した場合（ステップＳ１１３；Ｙｅｓ）、制御装置１１１Ａは入場に関する情報を示す新たな通行記録データを記録媒体１２Ａに書き込む（ステップＳ１１４）。
【００８０】
続いて、制御装置１１１ＡはステップＳ１１４において記録媒体１２Ａに書き込んだ通行記録データと同じ通行記録データを、記録媒体１２Ａの媒体ＩＤとともにサーバ装置１３Ａに送信する（ステップＳ１１５）。サーバ装置１３Ａは制御装置１１１Ａから受信した媒体ＩＤに応じた通行記録テーブル（図９）に制御装置１１１Ａから受信した通行記録データを追加する（ステップＳ１１６）。なお、ステップＳ１１４〜Ｓ１１６の処理は、システムＡにおいて通行人により新たに行われる入場に関する情報を、システムＡにおける通行記録データに反映させるための処理である。
【００８１】
ステップＳ１１５の処理を完了した後、制御装置１１１Ａは通行許可時の処理を行う（ステップＳ１１７）。
【００８２】
図１２は、システムＡの通行可否判定装置１１Ａを通過して出場しようとしている通行人の通行の可否判定が行われる場合に通行可否判定システム１が行う処理のフローを例示した図である。図１２のステップＳ２０１〜Ｓ２１７は、図１１のステップＳ１０１〜Ｓ１１７に各々対応している。なお、システムＢの通行可否判定装置１１Ｂを通過して出場しようとしている通行人の通行の可否判定が行われる場合に通行可否判定システム１が行う処理のフローは、記録媒体１２Ａが記録媒体１２Ｂとなり、制御装置１１１Ａが制御装置１１１Ｂとなり、サーバ装置１３Ａがサーバ装置１３Ｂとなり、サーバ装置１３Ｂがサーバ装置１３Ａとなる点以外は以下に説明する処理と同様である。
【００８３】
制御装置１１１Ａは、記録媒体１２Ａから最新の通行記録データを読み出す（ステップＳ２０１）。続いて、制御装置１１１Ａは記録媒体１２Ａから読み出した通行記録データが入場状態を示すか否かを判定する（ステップＳ２０２）。通行記録データが出場の情報を含まない場合、当該通行記録データは通行人が入場状態であることを示す。
【００８４】
ステップＳ２０２の判定において、記録媒体１２Ａから読み出した通行記録データが入場状態を示さないと判定した場合（ステップＳ２０２；Ｎｏ）、制御装置１１１ＡはシステムＢにおける通行人の通行記録データを要求する要求データをサーバ装置１３Ａに送信する（ステップＳ２０３）。サーバ装置１３Ａは制御装置１１１Ａから受信した要求データをサーバ装置１３Ｂに送信する（ステップＳ２０４）。
【００８５】
サーバ装置１３Ｂはサーバ装置１３Ａから受信した要求データに応じて、要求データに含まれる媒体ＩＤに対応するシステムＢの媒体ＩＤを対応関係テーブル（図１０）に基づき特定し、特定した媒体ＩＤに応じた通行記録テーブル（図９）の最新のレコード（通行記録データ）を読み出す（ステップＳ２０５）。サーバ装置１３Ｂは読み出した通行記録データを含む応答データをサーバ装置１３Ａに送信する（ステップＳ２０６）。サーバ装置１３Ａはサーバ装置１３Ｂから受信した応答データを制御装置１１１Ａに送信する（ステップＳ２０７）。
【００８６】
制御装置１１１Ａは、サーバ装置１３Ａから受信した応答データに含まれる通行記録データが入場状態を示すか否かを判定する（ステップＳ２０８）。ステップＳ２０８の判定において、サーバ装置１３Ａから受信した応答データに含まれる通行記録データが入場状態を示さないと判定した場合（ステップＳ２０８；Ｎｏ）、制御装置１１１Ａは通行不可時の処理を行う（ステップＳ２０９）。
【００８７】
ステップＳ２０８の判定において、サーバ装置１３Ａから受信した応答データに含まれる通行記録データが入場状態を示すと判定した場合（ステップＳ２０８；Ｙｅｓ）、制御装置１１１Ａは当該通行記録データの入場に関する情報（フィールド［入場時刻］およびフィールド［入場場所］のデータ）を含み、記録媒体１２Ａから読み出した通行記録データのフィールド［残高］に格納されているデータをフィールド［残高］に複写した新たな通行記録データを生成し、記録媒体１２Ａに書き込む（ステップＳ２１０）。
【００８８】
続いて、制御装置１１１Ａはサーバ装置１３Ａから受信した応答データに含まれる通行記録データを、記録媒体１２Ａの媒体ＩＤとともにサーバ装置１３Ａに送信する（ステップＳ２１１）。サーバ装置１３Ａは制御装置１１１Ａから受信した媒体ＩＤに応じた通行記録テーブル（図９）にステップＳ２１１において制御装置１１１Ａから受信した通行記録データを追加する（ステップＳ２１２）。なお、ステップＳ２１０〜Ｓ２１２の処理は、システムＢにおいて通行人により行われた入場に関する情報を、システムＡにおける通行記録データに反映させるための処理である。
【００８９】
ステップＳ２０２の判定において、記録媒体１２Ａから読み出した通行記録データが入場状態を示すと判定した場合（ステップＳ２０２；Ｙｅｓ）、もしくはステップＳ２１１の処理を完了した後、制御装置１１１Ａは記録媒体１２Ａから読み出した通行記録データのフィールド［残高］が示す金額等に基づき、通行の可否判定を行う（ステップＳ２１３）。
【００９０】
ステップＳ２１３の判定において通行を許可できないと判定した場合（ステップＳ２１３；Ｎｏ）、制御装置１１１Ａは通行不可時の処理を行う（ステップＳ２０９）。ステップＳ２１３の判定において通行を許可できると判定した場合（ステップＳ２１３；Ｙｅｓ）、制御装置１１１Ａは記録媒体１２Ａの最新の通行記録データに出場に関する情報（フィールド［出場時刻］、フィールド［出場場所］のデータ）を書き込むとともに、当該通行記録データのフィールド［料金］およびフィールド［残高］のデータを更新する（ステップＳ２１４）。
【００９１】
続いて、制御装置１１１ＡはステップＳ２１４において更新した記録媒体１２Ａに記憶されている通行記録データと同じ通行記録データを、記録媒体１２Ａの媒体ＩＤとともにサーバ装置１３Ａに送信する（ステップＳ２１５）。サーバ装置１３Ａは制御装置１１１Ａから受信した媒体ＩＤに応じた通行記録テーブル（図９）の最新の通行記録データを制御装置１１１Ａから受信した通行記録データで上書きする（ステップＳ２１６）。なお、ステップＳ２１４〜Ｓ２１６の処理は、システムＡにおいて通行人により新たに行われる出場に関する情報を、システムＡにおける通行記録データに反映させるための処理である。
【００９２】
ステップＳ２１５の処理を完了した後、制御装置１１１Ａは通行許可時の処理を行う（ステップＳ２１７）。
【００９３】
上述した通行可否判定システム１によれば、通行人がシステムＡの通行可否判定装置１１Ａの配置されているエリアを最後に通行した際の当該通行の可否判定の結果を示す通行記録データが、必要に応じて、システムＢの通行可否判定装置１１Ｂの配置されているエリアを通行する際の当該通行の可否判定に用いられる。また、通行人がシステムＢの通行可否判定装置１１Ｂの配置されているエリアを最後に通行した際の当該通行の可否判定の結果を示す通行記録データが、必要に応じて、システムＡの通行可否判定装置１１Ａの配置されているエリアを通行する際の当該通行の可否判定に用いられる。その結果、システムＡとシステムＢが併存しても、システムＡおよびシステムＢの各々により、正しく通行人の通行の可否判定が行われる。従って、通行人はゲート式の通行可否判定装置を通過して入場し、ゲートレス式の通行可否判定装置を通過して出場したり、その逆を行ったりすることができる。
【００９４】
［変形例］
上述した実施形態は様々に変形することができる。以下にそれらの変形の例を示す。なお、上述した実施形態および以下に示す変形例は適宜組み合わされてもよい。
【００９５】
（１）上述した通行可否判定システム１においては、サーバ装置１３Ａとサーバ装置１３Ｂが直接、データの送受信を行う。これに代えて、通行可否判定システム１が中継サーバ装置を備え、当該中継サーバ装置が、サーバ装置１３Ａとサーバ装置１３Ｂの間のデータ通信を中継する構成が採用されてもよい。
【００９６】
（２）上述した通行可否判定システム１においては、サーバ装置１３Ａとサーバ装置１３Ｂが異なる装置として構成されている。これに代えて、サーバ装置１３Ａとサーバ装置１３Ｂが統合された一つのサーバ装置として構成されてもよい。この変形例において、上述した通行可否判定システム１のサーバ装置１３Ａとサーバ装置１３Ｂの各々が個別に記憶している通行記録データベース（図９）が１つのデータベースに統合されてもよい。すなわち、対応関係テーブル（図１０）に格納される各レコードに格納される媒体ＩＤが示す同じ通行人が携帯する記録媒体１２Ａと記録媒体１２Ｂの通行記録テーブルは一つの通行記録テーブルに統合されてもよい。
【００９７】
（３）上述した通行可否判定システム１においては、通行の可否判定は制御装置１１１において行われる。通行の可否判定が行われる場所は制御装置１１１に限られず、例えば、サーバ装置１３において通行の可否判定が行われてもよい。
【００９８】
（４）上述した通行可否判定システム１においては、通行の可否判定は、記録媒体１２から読み出された通行記録データに基づき行われる。これに代えて、通行の可否判定が、サーバ装置１３に記憶される通行記録データに基づき行われてもよい。また、この変形例において、制御装置１１１が通行記録データベース（図９）を記憶してもよい。また、この変形例において、記録媒体１２は通行記録テーブル（図３）を記憶しなくてもよい。
【００９９】
（５）上述した通行可否判定システム１においては、システムＡにおいて通行券の役割を果たす記録媒体は通信距離が数メートル程度の近距離無線通信を行う無線通信装置であり、記録媒体１２Ａと通信して通行の可否判定を行う通行可否判定装置１１Ａはゲートレス式である。また、上述した通行可否判定システム１においては、システムＢにおいて通行券の役割を果たす記録媒体は通信距離が数センチメートル程度の近距離無線通信を行う無線通信装置であり、記録媒体１２Ｂと通信して通行の可否判定を行う通行可否判定装置１１Ｂはゲート式である。システムＡおよびシステムＢにおいて採用される通行可否判定装置１１および記録媒体１２の種別はこれらに限られない。
【０１００】
例えば、記録媒体１２として、紙等のシートに塗布された磁性体に磁気によりデータの記憶された磁気券が採用されてもよい。この場合、例えば通行人が磁気券の購入に用いるクレジットカードやプリペイドカード等のＩＤ（例えば、クレジットカード番号からユニークに生成されるハッシュ値等）を磁気券の媒体ＩＤとして対応関係テーブル（図１０）に登録しておく。そして、磁気券の発券時に、当該磁気券の購入に用いられたクレジットカードやプリペイドカート等のＩＤを発券機が磁気券に記憶させる。その結果、磁気券を用いるシステムが他のシステムと併存可能となる。従って、通行人は、例えば磁気券により通行可否判定装置を通過して入場し、無線通信装置により通行可否判定装置を通過して出場したり、その逆を行ったりすることができる。
【０１０１】
（６）上述した通行可否判定システム１においては、システムＡとシステムＢの異なる２つのシステムが併存している。通行可否判定システム１において併存可能なシステムの数は２つに限られず、３以上の異なるシステムが通行可否判定システム１において併存してもよい。
【０１０２】
（７）上述した通行可否判定システム１においては、記録媒体１２に記憶されている通行記録データが更新された後にサーバ装置１３に記憶されている通行記録データが更新される。通行記録データの更新のタイミングはこれに限られない。例えば、システムＡの通行記録データが更新されたタイミングで、対応関係テーブル（図１０）に基づき特定されるシステムＢの対応する通行記録データが更新されてもよい。
【０１０３】
（８）上述した通行可否判定システム１においては、通行の可否判定の結果を示す通行記録データは、正当に行われた入場または退場の時刻および場所を示す。通行記録データが示す情報の種別はこれに限られない。例えば、通行記録データが、不正に行われた入場または退場に関する情報を示してもよい。また、通行記録データが、いずれのシステムにおいて行われた入場または退場であるかを示してもよい。
【０１０４】
（９）上述した通行可否判定システム１においては、制御装置１１１およびサーバ装置１３の機能構成は、プロセッサがプログラムに従う処理を行うことにより実現されるものとした。これに代えて、制御装置１１１およびサーバ装置１３がいわゆる専用装置として構成されてもよい。
【符号の説明】
【０１０５】
１…通行可否判定システム、１１Ａ…通行可否判定装置、１１Ｂ…通行可否判定装置、１２Ａ…記録媒体、１２Ｂ…記録媒体、１３Ａ…サーバ装置、１３Ｂ…サーバ装置、１１１Ａ…制御装置、１１１Ｂ…制御装置、１１２Ａ…スポットライトアレイ、１１２Ｂ…ゲート、１２１…コントローラ、１２２…メモリ、１２３…通信Ｉ／Ｆ、１３１…プロセッサ、１３２…メモリ、１３３…通信Ｉ／Ｆ、１１０１…読出手段、１１０２…判定手段、１１０３…書込手段、１１０４…指示手段、１１０５…送信手段、１１０６…受信手段、１１１１…プロセッサ、１１１２…メモリ、１１１３…通信Ｉ／Ｆ、１１１４…通信Ｉ／Ｆ、１２０１…受信手段、１２０２…記憶手段、１２０３…送信手段、１３１１…受信手段、１３１２…記憶手段、１３１３…送信手段、１３１４…受信手段、１３１５…送信手段
【図１】
2017157123.tif 000003
【図２】
2017157123.tif 000004
【図３】
2017157123.tif 000005
【図４】
2017157123.tif 000006
【図５】
2017157123.tif 000007
【図６】
2017157123.tif 000008
【図７】
2017157123.tif 000009
【図８】
2017157123.tif 000010
【図９】
2017157123.tif 000011
【図１０】
2017157123.tif 000012
【図１１】
2017157123.tif 000013
【図１２】
2017157123.tif 000014